(57)【要約】【課題】集積する紙葉類の量が増加しても安定した状態で紙葉類を集積できる紙葉類集積装置を提供する。【解決手段】実施形態によれば、紙葉類集積装置は、紙葉類が支持面上に立位状態で載置される集積ベース４５と、紙葉類の集積方向に延びているとともに搬送されてくる紙葉類の搬送方向先端が突き当たる側面板４３とを有し、側面板で停止した紙葉類を面方向に順次重ねるよう集積する収容部４１と、搬送されてくる紙葉類を前記側面板へと押込む押込み機構３１と、集積された前記紙葉類を前記押込み機構との間で集積方向に付勢するバックアップ４２と、それぞれ集積ベースの支持面から突出し集積方向に沿って延設され、前記収容部に収容された紙葉類が集積方向に移動する際に紙葉類の下端部を支持する複数のリブ状の支持部材４６と、を備えている。支持部材の少なくとも１つは、紙葉類の集積方向に対して傾斜している。【選択図】図２
2013067490.tif 000002
【特許請求の範囲】
【請求項１】
複数の紙葉類が立位状態で載置される集積ベースと、紙葉類の集積方向に延びているとともに搬送されてくる紙葉類の搬送方向先端が突き当たる側面板とを有し、前記側面板で停止した紙葉類を面方向に順次重ねるよう集積する収容部と、
搬送されてくる紙葉類を前記収容部に集積された紙葉類との間に送り込こみ、この紙葉類を前記側面板へと押込む押込み機構と、
前記押込み機構に対向して前記紙葉類の集積方向に移動可能に設けられ、集積された前記紙葉類を前記押込み機構との間で集積方向に付勢するバックアップと、
それぞれ前記集積ベースの支持面から突出し前記集積方向に沿って延設され、前記収容部に収容された紙葉類が集積方向に移動する際に紙葉類の下端部を支持する複数のリブ状の支持部材と、を備え、
前記支持部材の少なくとも１つは、紙葉類の集積方向に対して傾斜している紙葉類集積装置。
【請求項２】
前記少なくとも１つの支持部材は、前記押込み機構側の端から他端まで直線状に延び、紙葉類の集積方向に対して、前記押込み機構側の端から他端に向かって前記側面板に接近する方向へ傾斜している請求項１に記載の紙葉類集積装置。
【請求項３】
前記少なくとも１つの支持部材は、前記押込み機構側の部分が前記紙葉類の集積方向に対して前記側面板に接近する方向へ傾斜し、他の部分は前記集積方向と平行に延びている請求項１又は２に記載の紙葉類集積装置。
【請求項４】
前記複数の支持部材は、前記側面板と直交する方向に間隔を置いて並んで設けられ、前記側面板に最も近い支持部材のみが前記紙葉類の集積方向に対して前記側面板に接近する方向へ傾斜し、他の支持部材は、前記集積方向と平行に延びている請求項１ないし３のいずれか１項に記載の紙葉類集積装置。
【請求項５】
前記支持部材は、前記集積ベースから突出し前記紙葉類に接触する部分の断面形状が、円形である請求項１ないし４のいずれかに１項に記載の紙葉類集積装置。
【請求項６】
前記支持部材は、前記集積ベースから突出し前記紙葉類に接触する部分の断面形状が、多角形である請求項１ないし４のいずれかに１項に記載の紙葉類集積装置。
【請求項７】
前記支持部材は、前記集積ベースから突出し前記紙葉類に接触する部分に平面部を備え、この平面部が前記側面板に向けて傾斜している請求項６に記載の紙葉類集積装置。
【請求項８】
前記収容部は、前記集積ベースの前記押込み機構側の端部に設けられ平坦な表面を有する集積入口ベースを備え、前記支持部材は、前記集積ベース上で、前記集積入口ベースから離れた位置から集積方向に向かって延びている請求項１ないし７のいずれか１項に記載の紙葉類集積装置。
【請求項９】
前記支持部材の前記紙葉類に接する面は、前記集積入口ベースの表面よりも低い請求項８に記載の紙葉類集積装置。
【発明の詳細な説明】
【技術分野】
【０００１】
この発明の実施形態は、搬送されてくる郵便物などの紙葉類を立位状態で集積する紙葉類集積装置に関する。
【背景技術】
【０００２】
紙葉類集積装置として、例えば、高速で搬送される郵便物などの紙葉類を立位状態で集積して収容する紙葉類集積装置が知られている。この種の集積装置は、紙葉類を収容する収容部、可動式のバックアッププレート、押込みローラ、支持ガイドなどを備えている。収容部は、立位状態で面方向に集積した紙葉類の下端を支持する底面板、紙葉類の搬送方向先端を突き当てて停止させるための側面板を有する。バックアッププレートは、収容部に集積された紙葉類のうち集積方向一端にある紙葉類に面接して配置され、紙葉類の集積量に応じて集積方向に移動するとともに、集積した紙葉類を集積方向に押圧する。押込みローラは、バックアッププレートから離間した側の集積方向他端にある紙葉類に転接する位置に配置され、バックアッププレートにより押圧される紙葉類をバックアッププレートとの間で挟持する。また、押込みローラは、他端側の紙葉類との間に次の紙葉類を受け入れて回転することで、次の紙葉類を集積した紙葉類の端部に押込む。支持ガイドは底面板から突出して設けられ、集積した紙葉類と集積ベースとの摩擦抵抗を低減する。
【先行技術文献】
【特許文献】
【０００３】
【特許文献１】特開２００３−３０６２６４号公報
【特許文献２】特開２００３−０３４４４５号公報
【発明の概要】
【発明が解決しようとする課題】
【０００４】
上述した集積装置では、集積する紙葉類の量が増加するにつれて、紙葉類の集積品位が悪化する場合がある。具体的には、集積した紙葉類の先端縁が側面板から離れる方向にずれてしまう、あるいは、バックアッププレートとの間の挟み込まれることによって紙葉類先端縁が湾曲した形状（弓なり形状）に並んでしまう、という問題である。これは、搬送されてくる紙葉類が収容部に対して傾斜して突入するため、押込みローラで紙葉類を押込むときに作用する力が側面板と平行にならないことが原因であると考えられる。
【０００５】
集積済みの紙葉類の束を取出し収納トレイに移動する作業や、後工程の道順組立て処理のための再供給などを考慮すると、この紙葉類先端縁が揃っていない状態というのは好ましい状態ではない。
【０００６】
本発明は、上記問題を解決するためになされたもので、その課題は、集積する紙葉類の量が増加しても安定した状態で紙葉類を集積できる紙葉類集積装置を提供することにある。
【課題を解決するための手段】
【０００７】
実施形態によれば、紙葉類集積装置は、複数の紙葉類が支持面上に立位状態で載置される集積ベースと、紙葉類の集積方向に延びているとともに搬送されてくる紙葉類の搬送方向先端が突き当たる側面板とを有し、前記側面板で停止した紙葉類を面方向に順次重ねるよう集積する収容部と、搬送されてくる紙葉類を前記収容部に集積された紙葉類との間に送り込こみ、この紙葉類を前記側面板へと押込む押込み機構と、前記押込み機構に対向して前記紙葉類の集積方向に移動可能に設けられ、集積された前記紙葉類を前記押込み機構との間で集積方向に付勢するバックアップと、それぞれ前記集積ベースの支持面から突出し前記集積方向に沿って延設され、前記収容部に収容された紙葉類が集積方向に移動する際に紙葉類の下端部を支持する複数のリブ状の支持部材と、を備え、前記支持部材の少なくとも１つは、紙葉類の集積方向に対して傾斜している。
【図面の簡単な説明】
【０００８】
【図１】図１は、第１の実施形態に係る紙葉類集積装置を備える区分装置を概略的に示す図。
【図２】図２は、前記紙葉類集積装置を示す平面図。
【図３】図３は、前記紙葉類集積装置の正面図。
【図４】図４は、前記紙葉類集積装置の側面図。
【図５】図５は、第２の実施形態に係る紙葉類集積装置を示す平面図。
【図６】図６は、第３の実施形態に係る紙葉類集積装置を示す平面図。
【図７】図７は、第４の実施形態に係る紙葉類集積装置の断面図。
【図８】図８は、第５の実施形態に係る紙葉類集積装置の断面図。
【図９】図９は、第６の実施形態に係る紙葉類集積装置の断面図。
【発明を実施するための形態】
【０００９】
以下、図面を参照しながら種々の実施形態について、詳細に説明する。  
（第１の実施形態）  
図１は、第１の実施形態に係る紙葉類集積装置１（以下、単に、集積装置１と称する）を含む区分装置１０の構成を示すブロック図である。この区分装置１０は、複数枚の紙葉類Ｐから宛先などを順次読取って区分集積するものであり、上述した集積装置１を複数台備える集積部７の他に、取出部２、検知部３、区分部４、排除部５、および読取部６を備えている。
【００１０】
紙葉類Ｐは、多数枚積層した状態で取出部２にセットされ、この取出部２から搬送路８上に１枚ずつ取出される。搬送路８には、複数組の図示しない無端状の搬送ベルトが搬送路８を挟むように延設され、紙葉類Ｐは搬送ベルトに挟持されて搬送される。搬送路８上に取出された紙葉類Ｐは、検知部３へ搬送される。ここで当該紙葉類Ｐの重送、ショートギャップ、厚さ、高さなどを検出し、規定外の紙葉類Ｐが区分部４を介して、排除部５へ搬送される。それ以外の紙葉類Ｐは、区分部４を介してさらに下流の読取部６へと搬送される。読取部６は、当該紙葉類Ｐから宛先などの情報を読取る。そして、読取部６により読取った各種情報に基づいて、図示しない制御部が紙葉類Ｐの区分先を判別する。読取部６を通過した紙葉類Ｐは、判別結果に基づいて、区分部４を介してその搬送方向が振分けられ、集積部７の何れかの集積装置１へと区分集積される。
【００１１】
次に、図２、図３、図４を参照して、集積装置１と区分部４とで構成される集積部７について説明する。  
集積部７は、読取情報に基づき区分された紙葉類Ｐを区分する複数の区分部４、区分された紙葉類Ｐをそれぞれ集積する複数の集積装置１と、を備えている。各集積装置１は、区分された紙葉類Ｐを立位状態で集積するために押込む押込み機構３１、この押込み機構３１によって押込まれた紙葉類Ｐを立位状態で集積する収容部４１と、を備えている。ここで、集積部７の複数の集積装置１は、いずれも同一構成であるため、１台の集積装置１について説明し、他の集積装置１の説明は省略する。
【００１２】
集積部７は、処理対象となる紙葉類Ｐを立位状態で搬送する搬送路８、複数のローラ２１に巻回されて張設されており紙葉類Ｐを挟み込んだ状態で搬送路８の矢印Ａ方向に走行可能な無端状の搬送ベルト２２を有する。つまり、紙葉類Ｐは一対の搬送ベルト２２によって挟持拘束された状態で搬送路８を矢印Ａ方向に搬送される。また、搬送路８には紙葉類Ｐの通過を検出するセンサ２３が複数設けられており、図示しない制御部はこの通過情報を後述の区分部４のゲート制御に使用する。
【００１３】
区分部４は、読取部６の搬送方向下流に配置されるゲート２６、２７を有している。ゲート２６は矢印Ａ方向に搬送される紙葉類Ｐを集積装置１に向かう矢印Ｂ方向へ切り換えて区分する。図示しない制御部は、読取情報による区分指定に基づき紙葉類Ｐを集積する集積装置１が設定された場合、この設定されたゲート２６を右側（時計まわり）に回動し、搬送される紙葉類Ｐを選択された集積装置１に導く。選択されていない集積装置１のゲート２７は、図示しない制御部によって左側（反時計まわり）に回動され、紙葉類Ｐが当該集積装置１に導かれないように設定される。
【００１４】
集積ガイド３２は、集積装置１の入口に配置され、区分部４のゲート２６から押込み機構３１の押込みローラ３４までに延設している搬送ベルト２２に沿って設けられている。ゲート２６によって区分された紙葉類Ｐは立位状態で搬送され、この集積ガイド３２により押込み機構３１へと導かれる。
【００１５】
押込み機構３１は、スクリュー３３、押込みローラ３４、このスクリュー３３と押込みローラ３４とを回転駆動する動力源（図示しない）、集積入口ベース３５、ストッパ３６を備えている。スクリュー３３は、搬送されてくる紙葉類Ｐの下端部分に接触する位置に設けられ、図示しない動力源により回転することで、紙葉類Ｐを押込みローラ３４の方向に搬送しつつ、紙葉類Ｐを収容部４１の方向に押し出す。押込みローラ３４は、搬送ベルト２２が巻回されたローラと、このローラと同軸的に設けられた金属製のローラとから構成される。金属製のローラは、搬送ベルト２２が巻回されたローラを挟む形で、紙葉類Ｐ搬送方向と直交する方向（紙葉類Ｐの立位方向）に上下に２個配置されている。この押込みローラ３４が立位状態で搬送される紙葉類Ｐに当接し、回転することで紙葉類Ｐをさらに矢印Ｃ方向へと押込む。押込みローラ３４によって押込まれた紙葉類Ｐは、集積入口ベース３５上を矢印Ｃ方向に搬送され、その搬送方向先端部が後述する側面板４３に設けられたストッパ３６に衝突して停止する。ストッパ３６は、搬送力による紙葉類Ｐの衝撃を吸収しやすいよう材質を弾性体（ゴムなど、ゲルでも可）にしている。ストッパ３６は、矢印Ｃ方向と直交する方向に延びている。
【００１６】
収容部４１は、押込み機構３１によって押込まれた複数の紙葉類Ｐが立位状態で重ねて載置されるほぼ矩形板状の集積ベース（底壁）４５と、搬送されてくる紙葉類Ｐの搬送方向先端、すなわち、紙葉類の一方の短辺あるいは長辺が突き当たるストッパ３６が設けられた側面板４３とを有している。集積ベース４５の上面はほぼ水平な支持面４５ａを構成し、側面板４３はこの支持面４５ａに対してほぼ垂直に立設されている。また、側面板４３は、収容部４１における紙葉類Ｐの集積方向Ｄに沿って延在している。集積ベース４５の入り口側の端に、表面が平坦な集積入口ベース３５が設けられ、支持面４５ａよりも一段高く位置している。
【００１７】
収容部４１は、バックアッププレート（バックアップ）４２を備えている。バックアッププレート４２は、例えば、矩形板状に形成され、押込みローラ３４と対向して設けられている。すなわち、バックアッププレート４２は、支持面４５ａおよび側面板４３に対してほぼ垂直に延び、更に、紙葉類Ｐの集積方向Ｄに沿って移動可能に支持されている。側面板４３の上部に集積方向Ｄに延びるスライドレール４４が設けられ、バックアッププレート４２は、このスライドレール４４に集積方向Ｄに沿って摺動自在に取り付けられている。
【００１８】
バックアッププレート４２は、図示しないバネ機構などにより押込みローラ３４に向かって付勢され、集積した紙葉類Ｐを押込みローラ３４との間に挟みこんで保持する。バックアッププレート４２は、紙葉類Ｐの集積量の増加に伴い、スライドレール４４に沿って集積方向Ｄと平行に移動する。
【００１９】
支持面４５ａ上には、集積される紙葉類Ｐと支持面４５ａとの間の摩擦を低減するため、複数のリブ状の支持ガイド（支持部材）４６が突設されている。例えば、３本の支持ガイド４６が、側面板４３と直交する方向に間隔を置いて、並んで設けられている。支持部材として機能する各支持ガイド４６は、支持面４５ａの入り口側の端から集積方向Ｄの反対側の端まで直線状に延び、紙葉類の集積方向Ｄに対して、押込み機構側の端から他端に向かって側面板４３に接近する方向へ傾斜している。また、各支持ガイド４６の断面形状は、紙葉類Ｐに接触する部分を円形にしているため、紙葉類Ｐが集積方向Ｄに移動する際の抵抗はさらに低減する。集積ベース４５上の支持ガイド４６の表面は、集積入口ベース３５の表面よりも低く、集積入口ベース３５の表面上を矢印Ｃ方向に押込まれた紙葉類Ｐと矢印Ｄ方向に集積される紙葉類Ｐとの状態を切り分けるようにしている。
【００２０】
第１の実施形態において、集積ベース４５の支持面４５ａ上に突設された複数、例えば、３本の支持ガイド４６は、集積方向Ｄに対し角度α傾斜して延びている。３本ある支持ガイド４６の全てを、紙葉類Ｐが集積するにつれて側面板４３に近づく方向に傾斜させている。すなわち、各支持ガイド４６は、集積ベース４５の入り口側から他端側に向かって、側面板４３に近付く方向へ角度α傾斜している。
【００２１】
傾斜角度度αは、０°よりも大きく、収容部４１に対する紙葉類Ｐの進入角度θ以下に設定される。進入角度θを例えば、２５°とすると、傾斜角度度αは、０°＜α≦２５°に設定される。支持ガイド４６の傾斜は、進入角度による力のベクトルを相殺することを考慮したもので、傾斜角度αは、例えば、３ないし５°に設定する。
【００２２】
次に、上述した本実施形態の集積装置１の動作および作用について説明する。  
図示しない制御部は、読取情報に基づく区分指定に従ってゲート２６を右側に回動し、矢印Ａ方向に搬送されている紙葉類Ｐを矢印Ｂ方向に区分する。
【００２３】
矢印Ｂ方向に区分された紙葉類Ｐは、搬送ベルト２２に挟持された状態で集積ガイド３２に沿って押込みローラ３４まで搬送される。押込みローラ３４に到達した紙葉類Ｐは、スクリュー３３によりバックアッププレート４２の方向へと押し出されつつ、押込みローラ３４により搬送床面である集積入口ベース３５に立位状態で矢印Ｃ方向に押込まれる。押込みローラ３４により押込まれた紙葉類Ｐが側面板４３上のストッパ３６に導かれ、紙葉類Ｐの先端部を衝突させることで停止し、前に集積された紙葉類Ｐに面接して集積される。なお、集積入口ベース３５はフラット形状となっているため、搬送、集積方向ともに紙葉類Ｐの移動の妨げとならない。このようにして、連続して搬送されてきた紙葉類Ｐは押込みローラ３４、バックアッププレート４２、側面板４３の間に順番に集積される。
【００２４】
紙葉類Ｐの集積量によって、バックアッププレート４２は集積方向Ｄと平行に移動する。集積量が少ないうちは、紙葉類Ｐは集積入口ベース３５上にのみ載っている。しかし、それ以上の集積量になると、集積した紙葉類Ｐの束は収容部４１の方へとさらに移動し、集積ベース４５上の支持ガイド４６に接触し始める。ここで、紙葉類Ｐは角度θ傾斜して押込み機構３１に進入するため、押込みローラ３４で紙葉類Ｐを押込むときに作用する力は集積方向Ｄと平行にならない。そのため、集積した紙葉類Ｐは集積方向Ｄに移動しつつ、その先端部が側面板４３から離れる方向に力を受ける。このような力が作用する状況で、集積ベース４５上に３本ある支持ガイド４６の全てを、紙葉類Ｐが集積するにつれて側面板４３に近づく方向に傾斜させている。そのため、積層した紙葉類Ｐは側面板４３から遠ざかるような力が働くものの、集積するにつれて支持ガイド４６による案内方向が側面板４３に近づく方向となるため、紙葉類Ｐの先端が側面板４３から離れるのを防ぐことができる。案内された紙葉類Ｐは、その先端部が側面板４３に揃う形で集積され、紙葉類Ｐ先端が不揃いとなる問題は解消される。
【００２５】
以上のように構成された集積装置１によれば、紙葉類を支えて集積方向に案内するガイドを傾斜させることで、集積する紙葉類の量が増加しても安定した状態で紙葉類を集積することが可能となる。そのため、集積済みの紙葉類の束を取出し収納トレイに移動する作業や、後工程の道順組立て処理のための再供給などを容易に行うことができる。
【００２６】
次に、他の実施形態に係る集積装置について説明する。なお、以下に説明する種々の実施形態において、前述した第１の実施形態と同一の部分には、同一の参照符号を付してその詳細な説明を省略し、第１の実施形態と異なる部分を中心に詳しく説明する。
【００２７】
（第２の実施形態）  
図５は、第２の実施形態に係る集積装置１を示している。第２の実施形態によれば、集積ベース４５の支持面４５ａ上に設けられた３本の支持ガイド４６は、それぞれ押込みローラ３４に近い部分、すなわち、入り口側に近い一定部分４６ｂだけが、紙葉類Ｐの集積方向Ｄに対して角度α傾斜し、紙葉類Ｐが集積するにつれて側面板４３に近づく方向に傾斜している。各支持ガイド４６の他の部分は、集積方向Ｄと平行な方向に沿って延びている。
【００２８】
積層した紙葉類Ｐを側面板４３から遠ざけようとする力は押込みローラ３４によるものなので、支持ガイド４６の押込みローラ３４近傍部分だけを傾斜させることで、前述した第１の実施形態と同様の作用効果が得られる。支持ガイド４６の傾斜部４６ｂで側面板４３から離れることが抑制された紙葉類Ｐは、その後、集積動作が進むにつれて集積方向Ｄとほぼ平行に集積される。
【００２９】
（第３の実施形態）  
図６は、第３の実施形態に係る集積装置１を示している。複数の支持ガイドは、全部にかぎらず、少なくとも１本が傾斜して設けられていればよい。第３の実施形態によれば、集積ベース４５の支持面４５ａ上に設けられた３本の支持ガイド４６のうち、側面板４３に最も近い側の一本だけが、紙葉類Ｐの集積方向Ｄに対して角度α傾斜し、紙葉類Ｐが集積するにつれて側面板４３に近づく方向に傾斜している。この一本の支持ガイド４６は、少なくとも処理対象の最小紙葉類に接触する位置に設けられている。他の２本の支持ガイド４６は、集積ベース４５の入り口側から他端側まで、集積方向Ｄと平行な方向に延びている。
【００３０】
第３の実施形態によれば、側面板４３に近い側の支持ガイド４６を、紙葉類Ｐが集積するにつれて側面板４３に近づく方向に傾斜させ、更に、少なくとも処理対象の最小紙葉類Ｐに接触する位置に設けることにより、全ての紙葉類Ｐに対して傾斜した１本の支持ガイド４６は接触することになる。この支持ガイドの作用により、紙葉類Ｐの先端部が側面板４３に揃う形で集積され、前述した第１の実施形態と同様の効果が得られる。
【００３１】
第１ないし第３の実施形態では、支持ガイド４６の断面形状は半円であるため、支持ガイド４６の延設方向と直交する方向の抵抗が少なくなっている。しかし、その取付け方向を規制する（傾斜させる）ことで、集積した紙葉類Ｐが側面板４３から離れるのを抑制することができ、安定した状態で紙葉類Ｐを集積することが可能となる。
【００３２】
（第４の実施形態）
図７は、第４の実施形態に係る集積装置１の断面図である。第４の実施形態によれば、集積ベース４５上に設けられた支持ガイド４６は、断面形状を多角形、例えば、長方形とし、支持ガイド４６が紙葉類Ｐの下端部に接触する部分を水平な面としている。
【００３３】
断面形状が円形の場合と異なり、支持ガイド４６と紙葉類Ｐの接触面積が大きくなるため、紙葉類Ｐが側面板４３から離れる方向に作用する力の抵抗力として働く。また、紙葉類Ｐの自重により支持ガイド４６のエッジ部分が紙葉類Ｐに多少突き刺さるため、紙葉類Ｐが側面板４３から離れる方向に作用する力の抵抗力として働く。このエッジによる作用は、支持ガイド４６の延設方向と直交する方向では抵抗となるが、延設方向には作用しない。そのため、この抵抗力は、集積方向Ｄに紙葉類Ｐが移動する際の妨げとはならない。支持ガイド４６を上記のような断面形状とすることにより、前述した第１の実施形態と同様の作用効果が得られる。
【００３４】
（第５の実施形態）
図８は、第５の実施形態に係る集積装置１の断面図である。第５の実施形態によれば、集積ベース４５上に設けられた支持ガイド４６は、断面形状を三角形とし、支持ガイド４６の頂点が紙葉類Ｐの下端部に突き刺さるような形状としている。第４の実施形態と異なり、支持ガイド４６は平面部が無いため、三角形の頂点によるエッジ効果は大きい。支持ガイド４６を上記のような断面形状とすることにより、前述した第１の実施形態と同様の作用効果が得られる。
【００３５】
（第６の実施形態）  
図９は、第６の実施形態に係る集積装置１の断面図である。本実施形態によれば、集積ベース４５上に設けられた支持ガイド４６は、断面形状を台形とし、支持ガイド４６の紙葉類Ｐ側の面を側面板４３の方向に向けて傾斜させている。紙葉類Ｐに接触している支持ガイド４６の頂点によるエッジ効果は上記第５の実施形態と同様である。さらに、支持ガイド４６の紙葉類Ｐ側の面を側面板４３方向に向けて傾斜させているため、紙葉類Ｐが側面板４３から離れようとすると、この傾斜面を乗り上げる抵抗が働くことになる。エッジ効果に加え、乗り上げ抵抗も働くため、前述した第１の実施形態と同様の作用効果が得られる。
【００３６】
以上のように構成された第１ないし第６の実施形態によれば、集積する紙葉類の量が増加しても安定した状態で紙葉類を集積できる紙葉類集積装置を得ることができる。
【００３７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、処理する紙葉類は、郵便物に限らず、有価証券、紙幣等の他の紙葉類に適用してもよい。第１ないし第３の実施形態では、支持ガイド４６が集積方向Ｄ（あるいは側面板４３）に対して傾斜していることを説明した。また、第４ないし第６の実施形態では支持ガイド４６の形状について説明した。この第１ないし第３の実施形態と第４ないし第６の実施形態とを組合せても、上記説明と同様の効果があることは言うまでもない。また、第４ないし第６について、例えば、３本ある支持ガイド４６の全てを同一の断面形状とせず、円形と長方形の組合せ、長方形と台形の組合せなどとしても良い。
【符号の説明】
【００３８】
１…紙葉類集積装置、Ｐ…紙葉類、２２…搬送ベルト、３１…押込み機構、
３２…集積ガイド、３３…スクリュー、３４…押込みローラ、３５…集積入口ベース、
３６…ストッパ、４１…収容部、４２…バックアッププレート、４３…側面板、
４４…スライドレール、４５…集積ベース、４６…支持ガイド
【図１】
2013067490.tif 000003
【図２】
2013067490.tif 000004
【図３】
2013067490.tif 000005
【図４】
2013067490.tif 000006
【図５】
2013067490.tif 000007
【図６】
2013067490.tif 000008
【図７】
2013067490.tif 000009
【図８】
2013067490.tif 000010
【図９】
2013067490.tif 000011